(57)【要約】【課題】複数の筆記者が交代しながら要約筆記を行なう場合において、筆記者を支援してミスの発生を抑制し得る、要約筆記支援システム、要約筆記支援装置、要約筆記支援方法、及びプログラムを提供する。【解決手段】要約筆記支援装置１０は、話者の発話の要約筆記を支援する。要約筆記支援装置１０は、発話の音声から無音区間を特定する音声解析部１１と、要約筆記を行う筆記者に割り当てられた割当時間毎に、無音区間が、当該割当時間の終点を基準とした範囲内に存在するかどうかを判定し、無音区間がこの範囲内に存在する場合に当該割当時間の終点を無音区間に基づいて変更する割当制御部１２と、割当時間毎に、当該割当時間が割り当てられている筆記者が使用する筆記者端末３０に、当該割当時間の開始点と終点とを特定する時間情報と、発話の音声データとを送信する音声配信部１３とを備えている。【選択図】図１
2014178959.tif 000002
【特許請求の範囲】
【請求項１】
話者の発話の要約筆記を支援するためのシステムであって、
要約筆記支援装置と、前記要約筆記を行う筆記者が使用する筆記者端末と、前記要約筆記を利用する利用者端末とを備え、
前記要約筆記支援装置は、
前記発話の音声から無音区間を特定する、音声解析部と、
前記要約筆記を行う筆記者に割り当てられた割当時間毎に、前記無音区間が、当該割当時間の終点を基準とした範囲内に存在するかどうかを判定し、前記無音区間が前記範囲内に存在すると判定する場合に当該割当時間の終点を前記無音区間に基づいて変更する、割当制御部と、
前記割当時間毎に、当該割当時間が割り当てられている筆記者の前記筆記者端末に、当該割当時間の開始点と終点とを特定する時間情報と、前記発話の音声データとを送信する、音声配信部と、を備え、
前記筆記者端末は、
前記筆記者に割り当てられた割当時間における要約筆記のテキストデータを、前記要約筆記支援装置に送信する、テキスト送信部を備えている、
ことを特徴とする要約筆記支援システム。
【請求項２】
前記筆記者支援装置が、
前記筆記者端末から、前記筆記者に割り当てられた割当時間における要約筆記のテキストデータが送信されてきた場合に、送信されてきた前記テキストデータの先頭側にある文字列と、別の筆記者に割り当てられた前回の割当時間における要約筆記のテキストデータの末尾側にある文字列とを比較し、そして、両者が一致する場合に、送信されてきた前記テキストデータから、一致している先頭側の文字列を削除する、重複削除部と、
削除が行われた場合は、先頭側の文字列が削除された前記テキストデータを、前記利用者端末に送信し、削除が行われなかった場合は、送信されてきた前記テキストデータを、前記利用者端末に送信する、送信部と、
を更に備えている、請求項１に記載の要約筆記支援システム。
【請求項３】
前記筆記者支援装置において、前記割当制御部が、更に、当該割当時間に続いて別の筆記者に割り当てられる次の割当時間の開始時間を、当該割当時間と前記次の割当時間とが設定された時間分重なるように設定する、
請求項１または２に記載の要約筆記支援システム。
【請求項４】
前記筆記者支援装置において、前記音声配信部が、
当該割当時間が割り当てられている筆記者の筆記者端末に、前記時間情報と前記音声データとの送信後に、当該割当時間の終了を通知し、
当該割当時間の次の割当時間が割り当てられている別の筆記者の筆記者端末に、次の割当時間の開始を通知する、
請求項１〜３のいずれかに記載の要約筆記支援システム。
【請求項５】
前記筆記者支援装置が、前記割当時間毎に、前記筆記者の筆記者端末から送信されてきたテキストデータを蓄積し、送信されてきた順に結合する、入力制御部を更に備え、
前記筆記者支援装置において、前記重複削除部が、最新の割当時間において統合されたテキストデータの先頭側にある文字列と、前回の割当時間において統合されたテキストデートの末尾側にある文字列とを比較し、そして、両者が一致する場合に、最新の割当時間において統合されたテキストデータから、一致している先頭側の文字列を削除する、
請求項２に記載の要約筆記支援システム。
【請求項６】
前記筆記者支援システムにおいて、
前記割当制御部が、前記割当時間それぞれに、順に番号を付与し、
前記音声配信部が、前記時間情報及び前記音声データに加えて、前記時間情報が特定する割当時間に付与された番号を、送信し、
前記筆記者端末において、
前記テキスト送信部が、前記テキストデータに対応する番号を付与し、前記対応する番号が付与された前記テキストデータを送信し、
前記筆記者支援システムにおいて、
前記入力制御部が、同一の番号が付与されたテキストデータを一つに統合する、請求項５に記載の要約筆記支援システム。
【請求項７】
前記筆記者支援システムにおいて、前記送信部が、前記テキストデータに加えて、前記テキストデータに付与されている番号を前記利用者端末に送信し、
前記利用者端末が、送信されてきた前記テキストデータを、それに付与されている前記番号の順に、画面に表示させる、
請求項６に記載の要約筆記支援システム。
【請求項８】
話者の発話の要約筆記を支援するための装置であって、
前記発話の音声から無音区間を特定する、音声解析部と、
前記要約筆記を行う筆記者に割り当てられた割当時間毎に、前記無音区間が、当該割当時間の終点を基準とした範囲内に存在するかどうかを判定し、前記無音区間が前記範囲内に存在すると判定する場合に当該割当時間の終点を前記無音区間に基づいて変更する、割当制御部と、
前記割当時間毎に、当該割当時間が割り当てられている筆記者が使用する端末装置に、当該割当時間の開始点と終点とを特定する時間情報と、前記発話の音声データとを送信する、音声配信部と、
を備えている、ことを特徴とする要約筆記支援装置。
【請求項９】
話者の発話の要約筆記を支援するための方法であって、
（ａ）前記発話の音声から無音区間を特定する、ステップと、
（ｂ）前記要約筆記を行う筆記者に割り当てられた割当時間毎に、前記無音区間が、当該割当時間の終点を基準とした範囲内に存在するかどうかを判定し、前記無音区間が前記範囲内に存在すると判定する場合に当該割当時間の終点を前記無音区間に基づいて変更する、ステップと、
（ｃ）前記割当時間毎に、当該割当時間が割り当てられている筆記者が使用する筆記者端末に、当該割当時間の開始点と終点とを特定する時間情報と、前記発話の音声データとを送信する、ステップと、
を有する、ことを特徴とする要約筆記支援方法。
【請求項１０】
コンピュータによって、話者の発話の要約筆記を支援するためのプログラムであって、
前記コンピュータに、
（ａ）前記発話の音声から無音区間を特定する、ステップと、
（ｂ）前記要約筆記を行う筆記者に割り当てられた割当時間毎に、前記無音区間が、当該割当時間の終点を基準とした範囲内に存在するかどうかを判定し、前記無音区間が前記範囲内に存在すると判定する場合に当該割当時間の終点を前記無音区間に基づいて変更する、ステップと、
（ｃ）前記割当時間毎に、当該割当時間が割り当てられている筆記者が使用する筆記者端末に、当該割当時間の開始点と終点とを特定する時間情報と、前記発話の音声データとを送信する、ステップと、
を実行させるプログラム。
【発明の詳細な説明】
【技術分野】
【０００１】
本発明は、複数の筆記者が交代で要約筆記を行なう場合において筆記者を支援するための、要約筆記支援システム、要約筆記支援装置、要約筆記支援方法、及びこれらを実現するためのプログラムに関する。
【背景技術】
【０００２】
両耳の聴力がマイナス１００デシベル以上の聴覚障がい者（以下、単に「聴覚障がい者」と記す）は、補聴器等を付けても、ほとんど音声中の言語情報を受けとることができない。このため従来から、聴覚障がい者が講演及び学校での授業等を聴講する場合、手話通訳者を付ける場合と、要約筆記通訳者を付ける場合とがあった。
【０００３】
このうち、要約筆記通訳者を付ける場合には、通常、聴覚障がい者１人に対して、例えば学校での授業であれば、要約筆記通訳者が２人以上付けられる。そして、これらの要約筆記者は、先生の話す内容などを、ＰＣ（Personal Computer）又は紙のノート等によって文字化し、これを聴覚障がい者に対して提示する。なお、要約筆記通訳者が２人以上必要となるのは、要約筆記作業は負担が大きく、１人では要約精度が低下しやすいからである。
【０００４】
ところで、１８歳以下の聴覚障がい学生が平成２０年度の厚生労働省の調べでは全国で約２万人存在し、それに対し、正式に登録されている要約筆記通訳者は全国で約１万人である。その上で、聴覚障がい学生１人に対して２人以上の要約筆記通訳者が付くとすると、支援を受けることが可能な聴覚障がい学生は、単純に計算しても１／４である。さらに、地域によって要約筆記者の数及び聴覚障がい学生の数には、ばらつきがある。これらの理由から、より少ない人数の聴覚障がい学生しか、学校において支援を受けることが出来ないのが現状である。
【０００５】
そこで、要約筆記通訳者の数を増やすために各団体で養成等が行われ、新しい要約筆記通訳者は、１年間の講習及び訓練の義務付け等によって能力が鍛えられた上で、要約筆記者として登録される。しかし、要約筆記者の数は微増でしかないため、依然として支援を受けられない学生が多くいるという問題がある。
【０００６】
ここで、既存の技術によって上記問題を解決できないかどうかを検討する。例えば、特許文献１は、字幕番組の字幕を書き起こす際に筆記者を支援するシステムを開示している。特許文献１に開示されたシステムは、番組音声の音声データからポーズを検出し、検出したポーズを利用して音声データを分割し、そして、必要に応じて、再生速度の低速化、又は繰返し再生等を行なわれるように、分割した音声データに処理を行なう。このため、筆記者においては、番組音声を聞き取り易くなり、字幕の書き起こしが容易となる。従って、このようなシステムを用いれば、要約筆記通訳者の数が足りないという上記問題の解決に貢献できると考えられる。
【０００７】
また、特許文献２は、プレゼンテーションの際に、音声を音声認識しながら、リアルタイムで認識結果を修正し、そして得られた認識結果を字幕として表示するシステムを開示している。特許文献２に開示されたシステムを導入すれば、要約筆記通訳者の数が足りないという上記問題の解決により確実に貢献できると考えられる。
【先行技術文献】
【特許文献】
【０００８】
【特許文献１】特開２００４−２１２７９９号公報
【特許文献２】特開２００７−２５６７１４号公報
【発明の概要】
【発明が解決しようとする課題】
【０００９】
ところで、講義中又は講演中に話者の話しを聞いて、要約筆記通訳者（以下、単に「筆記者」とも記載する。）は、要約筆記を行うが、一般に、講義又は講演の間、最初から最後まで１人で要約筆記を行なうわけではない。１人で行なうと、疲労により、要約筆記の精度が低下してしまうからである。
【００１０】
従って、筆記者同士が、ある程度の時間毎に交代しながら入力を行ったり、お互いに補完しながら入力を行ったり、といった連携入力と呼ばれる手法が採用されることがあるが、連携入力を行なう場合は、全筆記者に熟練度が要求される。このため、経験の浅い筆記者でも参加できるように、割り当てられた時間毎に、筆記者を交代させながら、要約筆記を行なうことが行なわれている。
【００１１】
しかしながら、交互に筆記者が交代する場合は、交代の前後の時間において、交代となる筆記者、新たに担当する筆記者のいずれもが、交代の前後の内容を聞き逃してしまったり、入力し忘れたり、といった問題が生じる可能性がある。従って、このような問題の解消を図れるシステムが求められている。
【００１２】
また、上述した特許文献１及び特許文献２に開示したシステムは、いずれも、複数の筆記者が交代で要約筆記を行なう場合に対応したシステムではない。従って、これらのシステムを用いても、上述した複数の筆記者が交代で要約筆記を行なう場合の問題を解決することは不可能である。
【００１３】
更に、特許文献１に開示されたシステムは、放送向けの特殊な信号に依存した処理方式を採用するため、リアルタイムでの音声の文字化には向いていない。従って、特許文献１に開示されたシステムでは、結局のところ、上述した要約筆記通訳者不足を解決することは困難である。
【００１４】
また、特許文献２に開示されたシステムは、音声認識に依存するため、認識間違いを筆記者がチェックしきれなかった場合に、話者が意図していない表現のまま利用者に提示される可能性がある。このため、特許文献２に開示されたシステムでも、結局のところ、上述した要約筆記通訳者不足を解決することは困難である。
【００１５】
［発明の目的］
本発明の目的は、上記問題を解消し、複数の筆記者が交代しながら要約筆記を行なう場合において、筆記者を支援してミスの発生を抑制し得る、要約筆記支援システム、要約筆記支援装置、要約筆記支援方法、及びプログラムを提供することにある。
【課題を解決するための手段】
【００１６】
上記目的を達成するため、本発明の一側面における要約筆記支援装システムは、話者の発話の要約筆記を支援するためのシステムであって、
要約筆記支援装置と、前記要約筆記を行う筆記者が使用する筆記者端末と、前記要約筆記を利用する利用者端末とを備え、
前記要約筆記支援装置は、
前記発話の音声から無音区間を特定する、音声解析部と、
前記要約筆記を行う筆記者に割り当てられた割当時間毎に、前記無音区間が、当該割当時間の終点を基準とした範囲内に存在するかどうかを判定し、前記無音区間が前記範囲内に存在すると判定する場合に当該割当時間の終点を前記無音区間に基づいて変更する、割当制御部と、
前記割当時間毎に、当該割当時間が割り当てられている筆記者の前記筆記者端末に、当該割当時間の開始点と終点とを特定する時間情報と、前記発話の音声データとを送信する、音声配信部と、を備え、
前記筆記者端末は、
前記筆記者に割り当てられた割当時間における要約筆記のテキストデータを、前記要約筆記支援装置に送信する、テキスト送信部を備えている、
ことを特徴とする。
【００１７】
上記目的を達成するため、本発明の一側面における要約筆記支援装置は、話者の発話の要約筆記を支援するための装置であって、
前記発話の音声から無音区間を特定する、音声解析部と、
前記要約筆記を行う筆記者に割り当てられた割当時間毎に、前記無音区間が、当該割当時間の終点を基準とした範囲内に存在するかどうかを判定し、前記無音区間が前記範囲内に存在すると判定する場合に当該割当時間の終点を前記無音区間に基づいて変更する、割当制御部と、
前記割当時間毎に、当該割当時間が割り当てられている筆記者が使用する端末装置に、当該割当時間の開始点と終点とを特定する時間情報と、前記発話の音声データとを送信する、音声配信部と、
を備えている、ことを特徴とする。
【００１８】
また、上記目的を達成するため、本発明の一側面における要約筆記支援方法は、話者の発話の要約筆記を支援するための方法であって、
（ａ）前記発話の音声から無音区間を特定する、ステップと、
（ｂ）前記要約筆記を行う筆記者に割り当てられた割当時間毎に、前記無音区間が、当該割当時間の終点を基準とした範囲内に存在するかどうかを判定し、前記無音区間が前記範囲内に存在すると判定する場合に当該割当時間の終点を前記無音区間に基づいて変更する、ステップと、
（ｃ）前記割当時間毎に、当該割当時間が割り当てられている筆記者が使用する筆記者端末に、当該割当時間の開始点と終点とを特定する時間情報と、前記発話の音声データとを送信する、ステップと、
を有する、ことを特徴とする。
【００１９】
更に、上記目的を達成するため、本発明の一側面におけるプログラムは、コンピュータによって、話者の発話の要約筆記を支援するためのプログラムであって、
前記コンピュータに、
（ａ）前記発話の音声から無音区間を特定する、ステップと、
（ｂ）前記要約筆記を行う筆記者に割り当てられた割当時間毎に、前記無音区間が、当該割当時間の終点を基準とした範囲内に存在するかどうかを判定し、前記無音区間が前記範囲内に存在すると判定する場合に当該割当時間の終点を前記無音区間に基づいて変更する、ステップと、
（ｃ）前記割当時間毎に、当該割当時間が割り当てられている筆記者が使用する筆記者端末に、当該割当時間の開始点と終点とを特定する時間情報と、前記発話の音声データとを送信する、ステップと、
を実行させることを特徴とする。
【発明の効果】
【００２０】
以上のように本発明によれば、複数の筆記者が交代しながら要約筆記を行なう場合において、筆記者を支援してミスの発生を抑制することができる。
【図面の簡単な説明】
【００２１】
【図１】図１は、本発明の実施の形態における要約筆記支援システムの全体構成を概略的に示す図である。
【図２】図２は、本発明の実施の形態における要約筆記支援システムの構成を具体的に示すブロック図である。
【図３】図３は、図２に示す音声解析部、割当制御部１２、及び音声配信部での処理を模式的に示す図である。
【図４】図４は、図２に示す文章リスト格納部に格納されている文章リストの一例を示す図である。
【図５】図５は、本発明の実施の形態における要約筆記支援装置の動作を示すフロー図である。
【図６】図６は、本発明の実施の形態における筆記者端末の動作を示すフロー図である。
【図７】図７は、本発明の実施の形態における利用者端末の動作を示すフロー図である。
【図８】図８は、本発明の実施の形態における要約筆記支援装置、筆記者端末、及び利用者端末を実現するコンピュータの一例を示すブロック図である。
【図９】図９は、図５に示した重複文字列の削除処理の具体例を示す図である。
【発明を実施するための形態】
【００２２】
（実施の形態）
以下、本発明の実施の形態における、要約筆記支援システム、要約筆記支援装置、要約筆記支援方法、及びプログラムについて、図１〜図８を参照しながら説明する。
【００２３】
［システム構成］
最初に、本実施の形態における要約筆記支援システムの全体構成について図１を用いて説明する。図１は、本発明の実施の形態における要約筆記支援システムの全体構成を概略的に示す図である。なお、図２中、同一または同等の部分には同一の符号を付して示す。
【００２４】
図１に示す要約筆記支援システム１００は、話者の発話の要約筆記を支援するためのシステムである。図１に示すように、要約筆記支援システム１００は、要約筆記支援装置１０と、要約筆記を行う筆記者が使用する端末装置（以下「筆記者端末」と表記する。）３０と、要約筆記を利用する端末装置（以下「利用者端末」と表記する。）４０と、を備えている。
【００２５】
また、図１に示すように、要約筆記支援装置１０は、音声解析部１１と、割当制御部１２と、音声配信部１３とを備えている。音声解析部１１は、発話の音声から無音区間を特定する。
【００２６】
割当制御部１２は、筆記者に割り当てられた割当時間毎に、無音区間が、各割当時間の終点を基準とした範囲内に存在するかどうかを判定し、存在すると判定する場合にこの割当時間の終点を無音区間に基づいて変更する。
【００２７】
音声配信部１３は、割当時間毎に、各割当時間が割り当てられている筆記者の筆記者端末３０に、その割当時間の開始点と終点とを特定する時間情報と、発話の音声データとを送信する。
【００２８】
更に、図１に示すように、筆記者端末３０は、テキスト送信部３２を備えている。テキスト送信部３２は、筆記者が、割り当てられた割当時間の音声に対して要約筆記を行ってテキストデータを入力すると、その要約筆記のテキストデータを、要約筆記支援装置１０に送信する。
【００２９】
このように、本実施の形態では、各筆記者に割り当てられ割当時間毎に、終盤付近の無音区間の特定が行われ、無音区間が特定された場合は、割当時間が無音区間で区切られるように、割当時間の調整が行われる。つまり、本実施の形態では、複数の筆記者が交代しながら要約筆記を行う場合において、交代がやりやすいように、割当時間の調整が行われる。このため、交代の前後の内容の聞き逃し、入力し忘れといったミスの発生が抑制される。
【００３０】
続いて、図２を用いて、本実施の形態における要約筆記支援システムの構成について更に具体的に説明する。図２は、本発明の実施の形態における要約筆記支援システムの構成を具体的に示すブロック図である。なお、図２中、同一または同等の部分には同一の符号を付して示す。また、図２中の図１で示された符号と同一の符号が付された部分は、図１で同一符号が付された部分と同一のものを示している。
【００３１】
［システム構成：要約筆記支援装置］
図２に示すように、本実施の形態では、要約筆記支援装置１０は、音声解析部１１、割当制御部１２、及び音声配信部１３に加えて、受信部２１と、入力制御部２２と、重複削除部２３と、文章リスト格納部２４と、送信部２５とを備えている。
【００３２】
これらのうち、上述した、音声解析部１１、割当制御部１２、及び音声配信部１３は、要約筆記支援装置１０において、音声配信機能１を付与する。また、受信部２１、入力制御部２２、重複削除部２３、文章リスト格納部２４、及び送信部２５は、要約筆記支援装置１０において、後述するように重複削除機能２を付与する。
【００３３】
また、本実施の形態では、要約筆記支援装置１０は、コンピュータにプログラムを導入することによって構築されている。このとき、要約筆記支援装置１０を構築するコンピュータは、１台であっても良いし、２台以上であっても良い。例えば、１台のコンピュータで上述の音声配信機能１を構築し、別の１台のコンピュータで上述の重複削除機能２を構築しても良い。
【００３４】
本実施の形態では、まず、講演又は講義における講師等といった話者の発話は、マイク等によって集音され、そこで音声データに変換された後、要約筆記支援装置１０に入力される。音声解析部１１は、音声認識エンジンを利用して、入力された音声データから、無音区間を特定し、特定した無音区間の開始点と終点とを割当制御部１２に出力する。
【００３５】
また、本実施の形態においては、音声解析部１１は、特定した無音区間のうち、長さが閾値以下の無音区間を更に特定し、この長さが閾値以下の無音区間についてのみ開始点と終点を割当制御部１２に出力することもできる。これは、例えば、１秒以下の無音区間は、話者において息継ぎを行っている区間に該当することが多く、話の切れ目としやすいからである。また、この場合、割当制御部１２は、長さが閾値以下の無音区間を用いて、割当制御を実行する。
【００３６】
また、本実施の形態では、割当制御部１２は、上述した処理に加えて、現在の割当時間に続いて別の筆記者に割り当てられる次の割当時間の開始時間を、現在の割当時間と次の割当時間とが設定された時間分重なるように設定することができる。この場合、要約筆記者の交代はよりいっそう簡単となり、ミスの発生の更なる抑制が図られる。
【００３７】
また、本実施の形態では、音声配信部１３は、現在の割当時間が割り当てられている筆記者の筆記者端末３０に、上述した時間情報と音声データとの送信後に、現在の割当時間の終了を通知することもできる。更に、音声配信部１３は、現在の割当時間の次の割当時間が割り当てられている別の筆記者の筆記者端末３０に、次の割当時間の開始を通知することもできる。
【００３８】
重複削除部２３は、筆記者端末３０から、筆記者に割り当てられた割当時間における要約筆記のテキストデータが送信されてきた場合に、重複している文字列の削除を行う。重複削除部２１は、まず、送信されてきたテキストデータの先頭側にある文字列と、別の筆記者に割り当てられた前回の割当時間における要約筆記のテキストデータの末尾側にある文字列とを比較する。そして、重複削除部２３は、両者が一致する場合に、送信されてきたテキストデータから、一致している先頭側の文字列を削除する。
【００３９】
具体的には、本実施の形態では、筆記者端末３０から、筆記者に割り当てられた割当時間における要約筆記のテキストデータが送信されてくると、受信部２１がこれを受信し、受信したテキストデータを、入力制御部２２に入力する。そして、入力制御部２２は、割当時間毎に、筆記者の筆記者端末から送信されてきたテキストデータを蓄積し、送信されてきた順に結合する。また、入力制御部２２は、統合後のテキストデータを重複削除部２３に入力する。
【００４０】
この場合、重複削除部２３は、最新の割当時間において統合されたテキストデータの先頭側にある文字列と、前回の割当時間において統合されたテキストデートの末尾側にある文字列とを比較する。そして、重複削除部２３は、両者が一致する場合、最新の割当時間において統合されたテキストデータから、一致している先頭側の文字列を削除する、なお、前回の割当時間において統合されたテキストデータは、文章リスト（後述の図４参照）として、文章リスト格納部２４に格納されている。
【００４１】
送信部２５は、重複削除部２３によって削除が行われた場合は、先頭側の文字列が削除されたテキストデータを、利用者端末４０に送信する。一方、送信部２５は、重複削除部２３によって削除が行われなかった場合は、送信されてきたテキストデータ（統合後のテキストデータ）を、そのまま利用者端末４０に送信する。
【００４２】
また、本実施の形態では、割当制御部１２が、割当時間それぞれに、順に番号を付与することができ、この場合、音声配信部１３は、時間情報及び音声データに加えて、この時間情報が特定する割当時間に付与された番号（以下「割当番号」と表記する。）も、筆記者端末３０に送信することができる。そして、筆記者端末３０に割当番号が送信された場合は、筆記者端末３０では、テキスト送信部３２は、テキストデータに、対応する割当番号を付与し、対応する割当番号が付与されたテキストデータを送信することになる。
【００４３】
また、筆記者端末３０から送信されてきテキストデータに、割当時間を示す割当番号が付与されている場合は、入力制御部２２は、割当番号によってテキストデータの割当時間を管理することができる。即ち、入力制御部２２は、同一の割当番号が付与されたテキストデータを一つに統合する。
【００４４】
また、この場合は、重複制御部は、現在の割当番号のテキストデータと、一つ前の割当番号のテキストデータとを比較して重複部分の削除を実行する。また、文章リスト格納部２４は、文章リストにおいて、この割当番号も登録する。更に、送信部２５は、テキストデータに加えて、テキストデータに付与されている割当番号も、利用者端末４０に送信する。
【００４５】
ここで、図３及び図４を用いて、要約筆記支援装置１０の機能について更に具体的に説明する。まず、図３を用いて、音声配信機能１について説明する。図３は、図２に示す音声解析部、割当制御部１２、及び音声配信部での処理を模式的に示す図である。
【００４６】
図３に示すように、音声解析部１１は、発話音声５１の音声データが入力されると、音声認識エンジンを利用して、これを、音声区間５２−１〜５２−３と無音区間５３−１〜５３−４とに分解する。そして、音声解析部１１は、無音区間５３−１〜５３−４を特定する情報を、割当制御部１２に出力する。
【００４７】
割当制御部１２は、音声解析部１１からの情報に基づいて、無音区間５３−１〜５３−４を特定する。そして、割当制御部１２は、筆記者Ａに割り当てられる割当時間６１と、無音区間５３−１〜５４−１とを比較する。そして、割当制御部１２は、各無音区間が、割当時間６１の終点６１ｂを基準とした範囲内に存在しているかどうかを判定する。具体的には、割当制御部１２は、各無音区間が、終点６１ｂの前に設定される前指定区間７１と後に設定される後指定区間７２とを合せた区間内に存在しているかどうかを判定する。
【００４８】
図３の例では、無音区間５３−２が、前指定区間７１と後指定区間７２とを合わせた区間内に存在しているので、割当制御部１２は、割当時間６１を無音区間５３−２（終点）で区切り、割当時間６２とする。
【００４９】
また、これに併せて、割当制御部１２は、筆記者Ｂに割り当てる割当時間６３と筆記者Ａに割り当てる割当時間６２とが重なるように、割当時間６３の開始点６３ａを設定する。具体的には、割当制御部１２は、割当時間６３の開始点６３ａを、割当時間６２の終点６２ｂの前に、重複区間８１の分だけ早くなるように設定する。
【００５０】
その後、音声配信部１３は、新たな割当時間６２の開始点６２ａと終点６２ｂとを特定する時間情報と、発話の音声データ９１とを送信する。また、音声配信部１３は、筆記者Ｂの筆記者端末３０に、割当時間６３の新たに設定された開始点６３ａを通知する。
【００５１】
続いて、図４を用いて、重複削除機能２について説明する。図４は、図２に示す文章リスト格納部に格納されている文章リストの一例を示す図である。
【００５２】
本実施の形態では、受信部２１は、筆記者端末３０から、割当時間を示す割当番号が付与されたテキストデータを受信し、受信したテキストデータと割当番号とを入力制御部２２に渡す。
【００５３】
入力制御部２２は、筆記者端末３０から、入力完了の通知を受け取るまで、同一の割当番号が付与されたテキストデータを蓄積する。そして、入力制御部２２は、筆記者端末３０から入力完了の通知が送信されてくると、同一の割当番号が付与されたテキストデータを結合し、割当番号と結合したテキストデータを重複削除部２３へ渡す。
【００５４】
重複削除部２３は、割当番号とテキストデータとを受け取ると、文章リスト格納部２４に格納されている文章リストを検索する。図４に示すように、文章リストは、結合されたテキストデータと、それに付与されていた割当番号とを登録している。
【００５５】
そして、重複削除部２３は、検索の結果、文章リストから、割当番号が一つ若いテキストデータを特定できた場合は、特定したテキストデータを抽出する。そして、重複削除部２３は、文章リストから抽出したテキストデータの末尾側の文字列と、入力制御部２２から渡された統合後のテキストデータの先頭側の文字列とを比較し、両者が重複している場合は、後者の先頭側の文字列を削除する。
【００５６】
その後、重複削除部２３は、文字列が削除されたテキストデータを、送信部２５に渡す。また、重複削除部２３は、文字列が削除されたテキストデータと、その割当番号とを、文章リスト登録する。
【００５７】
一方、重複削除部２３は、検索の結果、文章リストから、割当番号が一つ若いテキストデータを特定できなかった場合は、入力制御部２２から渡された統合後のテキストデータを、送信部２５に渡す。また、重複削除部２３は、このテキストデータと、その割当番号とを、文章リスト登録する。
【００５８】
［システム構成：筆記者端末］
図２に示すように、筆記者端末３０には、音声再生装置６と、入力装置７とが接続されている。音声再生装置６は、例えば、筆記者端末３０に備えられているスピーカー等である。入力装置７は、マウス、キーボード、タッチパネルといった入力機器である。
【００５９】
また、図２に示すように、筆記者端末３０は、上述したテキスト送信部３２に加えて、音声受信部３１と、入力装置７から入力されたテキストデータを受け付けるテキスト入力部３２とを備えている。
【００６０】
音声受信部３１は、要約筆記支援装置１０から音声データを受信し、これを音声再生装置６に出力する。これにより、音声再生装置６が、話者の音声を再生する。そして、筆記者は、音声を聞きながら、要約筆記を行い、入力装置７を介してテキストデータを入力する。テキスト入力部３２は、入力されたテキストデータを受け付けると、これをテキスト送信部３２に渡す。
【００６１】
テキスト送信部３２は、テキスト入力部３２から受け取ったテキストデータに、音声配信部１３から送信されてきた割当番号を付与し、割当番号が付与されたテキストデータを、要約筆記支援装置１０に送信する。
【００６２】
［システム構成：利用者端末］
図２に示すように、利用者端末４０に表示装置８が接続されている。表示装置８は、利用者端末４０に接続又は内蔵された液晶表示装置等である。また、図２に示すように、利用者端末４０は、テキスト受信部４１と、表示部４２とを備えている。
【００６３】
テキスト受信部４１は、要約筆記支援装置１０の送信部２５から送信されてくるテキストデータと、これに付与されている割当番号とを受信し、これらを表示部４２に渡す。表示部４２は、送信されてきたテキストデータを、割当番号と共に、割当番号の順に、表示装置８の画面に表示させる。この結果、利用者である聴覚障害者は、話者の音声の要約筆記を確認することができる。
【００６４】
また、上述した筆記者端末３０及び利用者端末４０は、プログラムをコンピュータに実行させることによって構築できる。この場合、コンピュータとしては、パーソナルコンピュータ、更には、スマートフォン、タブレット型端末も挙げられる。
【００６５】
［システム動作］
次に、本発明の実施の形態における要約筆記支援システム１００の動作について図５〜図７を用いて説明する。以下の説明においては、適宜図１〜図４を参酌する。また、以下の例では、要約筆記支援システム１００は、例えば、学校、講演会等での講義に利用されているとする。
【００６６】
また、本実施の形態では、要約筆記支援システム１００を動作させることによって、要約筆記支援方法が実施される。よって、本実施の形態における要約筆記支援方法の説明は、以下の要約筆記支援システム１００の動作説明に代える。
【００６７】
［システム動作：要約筆記支援装置］
まず、図５を用いて、要約筆記支援装置１０における動作について説明する。図５は、本発明の実施の形態における要約筆記支援装置の動作を示すフロー図である。
【００６８】
最初に、授業が開始され、講師を含む話者が音声を発する。これにより、話者の発話は、マイク等によって集音され、そこで音声データに変換された後、要約筆記支援装置１０へと出力される。そして、図５に示すように、音声解析部１１は、音声データを受け取り（ステップＡ１）、音声認識エンジンを利用して、音声データから、無音区間を特定し、特定した無音区間の開始点と終点とを割当制御部１２に出力する（ステップＡ２）。
【００６９】
次に、割当制御部１２は、無音区間が、現在の割当時間の終点を基準とした範囲内に存在するかどうかを判定し、存在すると判定する場合に、現在の割当時間の終点を無音区間に基づいて変更する（ステップＡ３）。また、割当制御部１２は、現在の割当時間に続いて別の筆記者に割り当てられる次の割当時間の開始時間を、現在の割当時間と次の割当時間とが設定された時間分重なるように設定する。
【００７０】
音声配信部１３は、現在の割当時間が割り当てられている筆記者の筆記者端末３０に、現在の割当時間の開始点と終点とを特定する時間情報と、発話の音声データと、現在の割当時間に対応する割当番号とを送信する（ステップＡ４）。
【００７１】
また、ステップＡ３で変更があった場合は、音声配信部１３は、変更後の割当時間の開始点と終点とを特定する時間情報を送信する。更に、音声配信部１３は、現在の割当時間の次の割当時間が割り当てられている別の筆記者の筆記者端末３０に、次の割当時間の開始を通知する。
【００７２】
次に、筆記者端末３０から、筆記者に割り当てられた割当時間における要約筆記のテキストデータが送信されてくると、受信部２１は、これを受信し、受信したテキストデータと、それに付与されている割当番号とを、入力制御部２２に渡す（ステップＡ５）。
【００７３】
入力制御部２２は、同一の割当番号が付与されたテキストデータを送信されてきた順に蓄積すると共に、受信部２１において、筆記者端末３０からの入力完了の通知が受信されているかどうかを判定する（ステップＡ６）。
【００７４】
ステップＡ６の判定の結果、受信されていない場合は、再度ステップＡ５が実行される。一方、ステップＡ６の判定の結果、受信されている場合は、入力制御部２２は、同一の割当番号が付与されたテキストデータを結合し、割当番号と結合したテキストデータを重複削除部２３へ渡す。
【００７５】
重複削除部２３は、割当番号とテキストデータとを受け取ると、文章リスト格納部２４に格納されている文章リストを検索し、割当番号が一つ若いテキストデータを抽出する。そして、重複削除部２３は、文章リストから抽出したテキストデータの末尾側の文字列と、入力制御部２２から渡された統合後のテキストデータの先頭側の文字列とを比較し、両者が重複している場合は、後者の先頭側の文字列を削除する（ステップＡ７）。
【００７６】
次に、重複削除部２３は、文字列が削除されたテキストデータを、送信部２５に渡す。また、重複削除部２３は、文字列が削除されたテキストデータと、その割当番号とを、文章リストに登録する（ステップＡ８）。
【００７７】
なお、重複削除部２３は、検索によって、割当番号が一つ若いテキストデータを特定できなかった場合は、入力制御部２２から渡された統合後のテキストデータを、送信部２５に渡す。また、重複削除部２３は、このテキストデータと、その割当番号とを、文章リスト登録する。
【００７８】
その後、送信部２５は、重複削除部２３から受け取ったテキストデータと、それに付与された割当番号とを、利用者端末４０に送信する（ステップＡ９）。また、ステップＡ１〜Ａ９は繰り返し実行される。更に、本実施の形態では、ステップＡ１〜Ａ４と、ステップＡ５〜Ａ９とは、それぞれ独立に平行して実行されていても良い。
【００７９】
［システム動作：筆記者端末］
続いて、図６を用いて、筆記者端末３０における動作について説明する。図６は、本発明の実施の形態における筆記者端末の動作を示すフロー図である。
【００８０】
図６に示すように、まず、音声受信部３１が、要約筆記支援装置１０から音声データと割当番号とを受信する（ステップＢ１）。そして、音声受信部３１が、受信した音声データを音声再生装置６に出力すると、音声再生装置６によって、話者の音声が再生される（ステップＢ２）。
【００８１】
続いて、筆記者は、音声を聞きながら、要約筆記を行い、入力装置７を介してテキストデータを入力する。これにより、テキスト入力部３２は、テキストデータの入力を受け付ける（ステップＢ３）。そして、テキスト入力部３２は、テキストデータをテキスト送信部３２に渡す。
【００８２】
テキスト送信部３２は、テキスト入力部３２から受け取ったテキストデータに、音声配信部１３から送信されてきた割当番号を付与し、割当番号が付与されたテキストデータを、要約筆記支援装置１０に送信する（ステップＢ４）。
【００８３】
ステップＢ４の実行後、要約筆記支援装置１０においては、上述のステップＡ５が実行される。また、ステップＢ１〜Ｂ４は、音声データと割当番号とが、要約筆記支援装置１０から送信されてくる度に実行される。
【００８４】
［システム動作：利用者端末］
続いて、図７を用いて、利用者端末４０における動作について説明する。図７は、本発明の実施の形態における利用者端末の動作を示すフロー図である。
【００８５】
図７に示すように、まず、テキスト受信部４１は、要約筆記支援装置１０の送信部２５から送信されてくるテキストデータと、これに付与されている割当番号とを受信する（ステップＣ１）。そして、送信部２５は、受信したテキストデータと割当番号とを表示部４２に渡す。
【００８６】
次に、表示部４２は、送信されてきたテキストデータを、割当番号と共に、割当番号の順に、表示装置８の画面に表示させる（ステップＣ２）。この結果、利用者である聴覚障害者は、話者の音声の要約筆記を確認することができる。
【００８７】
［実施の形態における効果］
以上のように、本発明の実施の形態によれば、割当時間が無音区間で区切られるように、割当時間の調整が行われ、更に、割当時間の設定は、連続する割当時間が一部重なるように行われる。このため、複数の筆記者が交代しながら要約筆記を行う場合において、交代がやりやすくなるので、交代の前後の内容の聞き逃し、入力し忘れといったミスの発生が抑制される。また、割当時間が重なる部分で、複数の筆記者が重複して入力した文字列は削除されてから、利用者に提示されるので、利用者にとって、要約筆記が理解し易いものとなる。
【００８８】
また、これらの結果、本実施の形態によれば、経験の浅い筆記者が要約筆記を行っても、精度の高い要約筆記を提供することができるため、要約筆記者不足という問題の解決も図られる。更に、疑似的な連携入力を実現できるので、情報の即時性などの向上が図られる。
【００８９】
［変形例］
本実施の形態は、上述の例に、限定されるものではない。例えば、本実施の形態では、筆記者端末３０に、割当時間の重複箇所を通知し、筆記者において重複した箇所での入力を控えるように指示することもできる。この場合は、重複削除部２３における処理は省略できる。
【００９０】
［プログラム］
本実施の形態におけるプログラムは、コンピュータに、図５に示すステップＡ１〜Ａ９を実行させるプログラムであれば良い。このプログラムをコンピュータにインストールし、実行することによって、本実施の形態における要約筆記支援装置１０を実現することができる。この場合、コンピュータのＣＰＵ（Central Processing Unit）は、音声解析部１１、割当制御部１２、音声配信部１３、受信部２１、入力制御部２２、重複削除部２３、送信部２５として機能し、処理を行なう。
【００９１】
また、要約筆記支援装置１０を、例えば、２台のコンピュータで実現する場合は、１台のコンピュータに、図５に示すステップＡ１〜Ａ４を実行させるプログラムをインストールし、実行させれば良い。そして、もう１台のコンピュータに、図５に示すステップＡ５〜Ａ９を実行させるプログラムをインストールし、実行させれば良い。
【００９２】
ここで、本実施の形態におけるプログラムを実行することによって、要約筆記支援装置１０、筆記者端末３０、及び利用者端末４０を実現するコンピュータについて図８を用いて説明する。図８は、本発明の実施の形態における要約筆記支援装置、筆記者端末、及び利用者端末を実現するコンピュータの一例を示すブロック図である。
【００９３】
図８に示すように、コンピュータ１１０は、ＣＰＵ１１１と、メインメモリ１１２と、記憶装置１１３と、入力インターフェイス１１４と、表示コントローラ１１５と、データリーダ／ライタ１１６と、通信インターフェイス１１７とを備える。これらの各部は、バス１２１を介して、互いにデータ通信可能に接続される。
【００９４】
ＣＰＵ１１１は、記憶装置１１３に格納された、本実施の形態におけるプログラム（コード）をメインメモリ１１２に展開し、これらを所定順序で実行することにより、各種の演算を実施する。メインメモリ１１２は、典型的には、ＤＲＡＭ（Dynamic Random Access Memory）等の揮発性の記憶装置である。また、本実施の形態におけるプログラムは、コンピュータ読み取り可能な記録媒体１２０に格納された状態で提供される。なお、本実施の形態におけるプログラムは、通信インターフェイス１１７を介して接続されたインターネット上で流通するものであっても良い。
【００９５】
また、記憶装置１１３の具体例としては、ハードディスクの他、フラッシュメモリ等の半導体記憶装置が挙げられる。入力インターフェイス１１４は、ＣＰＵ１１１と、キーボード及びマウスといった入力機器１１８との間のデータ伝送を仲介する。表示コントローラ１１５は、ディスプレイ装置１１９と接続され、ディスプレイ装置１１９での表示を制御する。
【００９６】
データリーダ／ライタ１１６は、ＣＰＵ１１１と記録媒体１２０との間のデータ伝送を仲介し、記録媒体１２０からのプログラムの読み出し、及びコンピュータ１１０における処理結果の記録媒体１２０への書き込みを実行する。通信インターフェイス１１７は、ＣＰＵ１１１と、他のコンピュータとの間のデータ伝送を仲介する。
【００９７】
また、記録媒体１２０の具体例としては、ＣＦ（Compact Flash（登録商標））及びＳＤ（Secure Digital）等の汎用的な半導体記憶デバイス、フレキシブルディスク（Flexible Disk）等の磁気記憶媒体、又はＣＤ−ＲＯＭ（Compact Disk Read Only Memory）などの光学記憶媒体が挙げられる。
【実施例１】
【００９８】
続いて、図９を用いて、本発明の実施例について説明する。図９は、図５に示した重複文字列の削除処理の具体例を示す図である。なお、以下においては、図５に示したステップＡ５〜Ａ９の具体例に焦点を当てて説明する。
【００９９】
まず、受信部２１が、割当番号が４のテキストデータ「進みました。今日は １２行目、ＸＸＸＸの改新から進めていきます。」を受信するとする（ステップＡ５）。受信部２１は、この割当番号とテキストデータとを入力制御部２２へ渡す。
【０１００】
次に、筆記者端末３０から入力の完了が通知されているとすると（ステップＡ６）、入力制御部２２は、このテキストデータ「進みました。今日は １２行目、ＸＸＸＸの改新から進めていきます。」入力制御部２２に渡す。
【０１０１】
次に、重複削除部２３は、割当番号とテキストデータとを受け取り、直前の割当番号として「３」を算出し、そして、文章リスト格納部２４に格納されている文章リストを検索する。図４に示すように、割当番号３のテキストデータが登録されているので、重複駆除部２３は、割当番号が３のテキストデータ「昨日はＸＸＸＸ年に起こったＸＸＸの乱まで進みました。」を取得する。
【０１０２】
そして、重複削除部２３は、文章リストから抽出した割当番号が３のテキストデータの末尾側の文字列と、割当番号が４のテキストデータの先頭側の文字列とを比較し、両者の重複している文字列「進みました」を特定する。その後、重複削除部２３は、重複している文字列「進みました」を削除する（ステップＡ７）。
【０１０３】
次に、重複削除部２３は、文字列が削除された割当番号４のテキストデータ「今日は、１２行目、ＸＸＸＸの改新から進めていきます。」を、送信部２５に渡す。また、重複削除部２３は、文字列が削除された割当番号４のテキストデータと、その割当番号「４」とを、文章リストに登録する（ステップＡ８）。その後、送信部２５は、文字列が削除された割当番号４のテキストデータと、割当番号「４」とを、利用者端末４０に送信する（ステップＡ９）。
【０１０４】
その後、利用者端末４０においては、テキスト受信部４１が、割当番号「４」とテキストデータ「今日は、１２行目、ＸＸＸＸの改新から進めていきます。」とを受信する（ステップＣ１）。そして、利用者端末４０の表示画面には、割当番号１〜４の各テキストデータが、割当番号の順に表示される（ステップＣ２）。
【０１０５】
上述した実施の形態の一部又は全部は、以下に記載する（付記１）〜（付記２６）によって表現することができるが、以下の記載に限定されるものではない。
【０１０６】
（付記１）
話者の発話の要約筆記を支援するためのシステムであって、
要約筆記支援装置と、前記要約筆記を行う筆記者が使用する筆記者端末と、前記要約筆記を利用する利用者端末とを備え、
前記要約筆記支援装置は、
前記発話の音声から無音区間を特定する、音声解析部と、
前記要約筆記を行う筆記者に割り当てられた割当時間毎に、前記無音区間が、当該割当時間の終点を基準とした範囲内に存在するかどうかを判定し、前記無音区間が前記範囲内に存在すると判定する場合に当該割当時間の終点を前記無音区間に基づいて変更する、割当制御部と、
前記割当時間毎に、当該割当時間が割り当てられている筆記者の前記筆記者端末に、当該割当時間の開始点と終点とを特定する時間情報と、前記発話の音声データとを送信する、音声配信部と、を備え、
前記筆記者端末は、
前記筆記者に割り当てられた割当時間における要約筆記のテキストデータを、前記要約筆記支援装置に送信する、テキスト送信部を備えている、
ことを特徴とする要約筆記支援システム。
【０１０７】
（付記２）
前記筆記者支援装置が、
前記筆記者端末から、前記筆記者に割り当てられた割当時間における要約筆記のテキストデータが送信されてきた場合に、送信されてきた前記テキストデータの先頭側にある文字列と、別の筆記者に割り当てられた前回の割当時間における要約筆記のテキストデータの末尾側にある文字列とを比較し、そして、両者が一致する場合に、送信されてきた前記テキストデータから、一致している先頭側の文字列を削除する、重複削除部と、
削除が行われた場合は、先頭側の文字列が削除された前記テキストデータを、前記利用者端末に送信し、削除が行われなかった場合は、送信されてきた前記テキストデータを、前記利用者端末に送信する、送信部と、
を更に備えている、付記１に記載の要約筆記支援システム。
【０１０８】
（付記３）
前記筆記者支援装置において、前記割当制御部が、更に、当該割当時間に続いて別の筆記者に割り当てられる次の割当時間の開始時間を、当該割当時間と前記次の割当時間とが設定された時間分重なるように設定する、
付記１または２に記載の要約筆記支援システム。
【０１０９】
（付記４）
前記筆記者支援装置において、前記音声配信部が、
当該割当時間が割り当てられている筆記者の筆記者端末に、前記時間情報と前記音声データとの送信後に、当該割当時間の終了を通知し、
当該割当時間の次の割当時間が割り当てられている別の筆記者の筆記者端末に、次の割当時間の開始を通知する、
付記１〜３のいずれかに記載の要約筆記支援システム。
【０１１０】
（付記５）
前記筆記者支援装置が、前記割当時間毎に、前記筆記者の筆記者端末から送信されてきたテキストデータを蓄積し、送信されてきた順に結合する、入力制御部を更に備え、
前記筆記者支援装置において、前記重複削除部が、最新の割当時間において統合されたテキストデータの先頭側にある文字列と、前回の割当時間において統合されたテキストデートの末尾側にある文字列とを比較し、そして、両者が一致する場合に、最新の割当時間において統合されたテキストデータから、一致している先頭側の文字列を削除する、
付記２に記載の要約筆記支援システム。
【０１１１】
（付記６）
前記筆記者支援システムにおいて、
前記割当制御部が、前記割当時間それぞれに、順に番号を付与し、
前記音声配信部が、前記時間情報及び前記音声データに加えて、前記時間情報が特定する割当時間に付与された番号を、送信し、
前記筆記者端末において、
前記テキスト送信部が、前記テキストデータに対応する番号を付与し、前記対応する番号が付与された前記テキストデータを送信し、
前記筆記者支援システムにおいて、
前記入力制御部が、同一の番号が付与されたテキストデータを一つに統合する、付記５に記載の要約筆記支援システム。
【０１１２】
（付記７）
前記筆記者支援システムにおいて、前記送信部が、前記テキストデータに加えて、前記テキストデータに付与されている番号を前記利用者端末に送信し、
前記利用者端末が、送信されてきた前記テキストデータを、それに付与されている前記番号の順に、画面に表示させる、
付記６に記載の要約筆記支援システム。
【０１１３】
（付記８）
前記筆記者支援装置において、
前記音声解析部は、前記発話の音声から特定した無音区間のうち、長さが閾値以下の無音区間を更に特定し、
前記割当制御部が、特定された長さが閾値以下の無音区間を用いて、判定を行う、付記１〜７のいずれかに記載の要約筆記支援システム。
【０１１４】
（付記９）
話者の発話の要約筆記を支援するための装置であって、
前記発話の音声から無音区間を特定する、音声解析部と、
前記要約筆記を行う筆記者に割り当てられた割当時間毎に、前記無音区間が、当該割当時間の終点を基準とした範囲内に存在するかどうかを判定し、前記無音区間が前記範囲内に存在すると判定する場合に当該割当時間の終点を前記無音区間に基づいて変更する、割当制御部と、
前記割当時間毎に、当該割当時間が割り当てられている筆記者が使用する端末装置に、当該割当時間の開始点と終点とを特定する時間情報と、前記発話の音声データとを送信する、音声配信部と、
を備えている、ことを特徴とする要約筆記支援装置。
【０１１５】
（付記１０）
前記筆記者が使用する端末装置から、前記筆記者に割り当てられた割当時間における要約筆記のテキストデータが送信されてきた場合に、送信されてきた前記テキストデータの先頭側にある文字列と、別の筆記者に割り当てられた前回の割当時間における要約筆記のテキストデータの末尾側にある文字列とを比較し、そして、両者が一致する場合に、送信されてきた前記テキストデータから、一致している先頭側の文字列を削除する、重複削除部と、
削除が行われた場合は、先頭側の文字列が削除された前記テキストデータを、要約筆記を利用する利用者の端末装置に送信し、削除が行われなかった場合は、送信されてきた前記テキストデータを、要約筆記を利用する利用者の端末装置に送信する、送信部と、
を更に備えている、付記９に記載の要約筆記支援装置。
【０１１６】
（付記１１）
前記割当制御部が、更に、当該割当時間に続いて別の筆記者に割り当てられる次の割当時間の開始時間を、当該割当時間と前記次の割当時間とが設定された時間分重なるように設定する、
付記９または１０に記載の要約筆記支援装置。
【０１１７】
（付記１２）
前記音声配信部が、
当該割当時間が割り当てられている筆記者が使用する端末装置に、前記時間情報と前記音声データとの送信後に、当該割当時間の終了を通知し、
当該割当時間の次の割当時間が割り当てられている別の筆記者が使用する端末装置に、次の割当時間の開始を通知する、
付記９〜１１に記載の要約筆記支援装置。
【０１１８】
（付記１３）
前記割当時間毎に、前記筆記者が使用する端末装置から送信されてきたテキストデータを蓄積し、送信されてきた順に結合する、入力制御部を更に備え、
前記重複削除部が、最新の割当時間において統合されたテキストデータの先頭側にある文字列と、前回の割当時間において統合されたテキストデートの末尾側にある文字列とを比較し、そして、両者が一致する場合に、最新の割当時間において統合されたテキストデータから、一致している先頭側の文字列を削除する、
付記１１に記載の要約筆記支援装置。
【０１１９】
（付記１４）
前記音声解析部は、前記発話の音声から特定した無音区間のうち、長さが閾値以下の無音区間を更に特定し、
前記割当制御部が、特定された長さが閾値以下の無音区間を用いて、判定を行う、付記９〜１３のいずれかに記載の要約筆記支援装置。
【０１２０】
（付記１５）
話者の発話の要約筆記を支援するための方法であって、
（ａ）前記発話の音声から無音区間を特定する、ステップと、
（ｂ）前記要約筆記を行う筆記者に割り当てられた割当時間毎に、前記無音区間が、当該割当時間の終点を基準とした範囲内に存在するかどうかを判定し、前記無音区間が前記範囲内に存在すると判定する場合に当該割当時間の終点を前記無音区間に基づいて変更する、ステップと、
（ｃ）前記割当時間毎に、当該割当時間が割り当てられている筆記者が使用する筆記者端末に、当該割当時間の開始点と終点とを特定する時間情報と、前記発話の音声データとを送信する、ステップと、
を有する、ことを特徴とする要約筆記支援方法。
【０１２１】
（付記１６）
（ｄ）前記筆記者端末から、前記筆記者に割り当てられた割当時間における要約筆記のテキストデータが送信されてきた場合に、送信されてきた前記テキストデータの先頭側にある文字列と、別の筆記者に割り当てられた前回の割当時間における要約筆記のテキストデータの末尾側にある文字列とを比較し、そして、両者が一致する場合に、送信されてきた前記テキストデータから、一致している先頭側の文字列を削除する、ステップと、
（ｅ）前記（ｄ）のステップで削除が行われた場合に、先頭側の文字列が削除された前記テキストデータを、前記利用者端末に送信する、ステップと、
（ｆ）前記（ｄ）のステップで削除が行われなかった場合に、送信されてきた前記テキストデータを、前記利用者端末に送信する、ステップと、
を更に有する、付記１５に記載の要約筆記支援方法。
【０１２２】
（付記１７）
（ｇ）前記（ｂ）のステップの実行後に、当該割当時間に続いて別の筆記者に割り当てられる次の割当時間の開始時間を、当該割当時間と前記次の割当時間とが設定された時間分重なるように設定する、ステップを、
更に有する、付記１５または１６に記載の要約筆記支援方法。
【０１２３】
（付記１８）
（ｈ）当該割当時間が割り当てられている筆記者の筆記者端末に、前記（ｃ）のステップによる前記時間情報と前記音声データとの送信後に、当該割当時間の終了を通知し、当該割当時間の次の割当時間が割り当てられている別の筆記者の筆記者端末に、次の割当時間の開始を通知する、ステップを、
更に有する、付記１５〜１７のいずれかに記載の要約筆記支援方法。
【０１２４】
（付記１９）
（ｉ）前記割当時間毎に、前記筆記者の筆記者端末から送信されてきたテキストデータを蓄積し、送信されてきた順に結合する、ステップを更に有し、
前記（ｄ）のステップにおいて、最新の割当時間において統合されたテキストデータの先頭側にある文字列と、前回の割当時間において統合されたテキストデートの末尾側にある文字列とを比較し、そして、両者が一致する場合に、最新の割当時間において統合されたテキストデータから、一致している先頭側の文字列を削除する、
付記１６に記載の要約筆記支援方法。
【０１２５】
（付記２０）
前記（ａ）のステップにおいて、前記発話の音声から特定した無音区間のうち、長さが閾値以下の無音区間を更に特定し、
前記（ｂ）のステップにおいて、特定された長さが閾値以下の無音区間を用いて、判定を行う、付記１５〜１９のいずれかに記載の要約筆記支援方法。
【０１２６】
（付記２１）
コンピュータによって、話者の発話の要約筆記を支援するためのプログラムであって、
前記コンピュータに、
（ａ）前記発話の音声から無音区間を特定する、ステップと、
（ｂ）前記要約筆記を行う筆記者に割り当てられた割当時間毎に、前記無音区間が、当該割当時間の終点を基準とした範囲内に存在するかどうかを判定し、前記無音区間が前記範囲内に存在すると判定する場合に当該割当時間の終点を前記無音区間に基づいて変更する、ステップと、
（ｃ）前記割当時間毎に、当該割当時間が割り当てられている筆記者が使用する筆記者端末に、当該割当時間の開始点と終点とを特定する時間情報と、前記発話の音声データとを送信する、ステップと、
を実行させるプログラム。
【０１２７】
（付記２２）
（ｄ）前記筆記者端末から、前記筆記者に割り当てられた割当時間における要約筆記のテキストデータが送信されてきた場合に、送信されてきた前記テキストデータの先頭側にある文字列と、別の筆記者に割り当てられた前回の割当時間における要約筆記のテキストデータの末尾側にある文字列とを比較し、そして、両者が一致する場合に、送信されてきた前記テキストデータから、一致している先頭側の文字列を削除する、ステップと、
（ｅ）前記（ｄ）のステップで削除が行われた場合に、先頭側の文字列が削除された前記テキストデータを、前記利用者端末に送信する、ステップと、
（ｆ）前記（ｄ）のステップで削除が行われなかった場合に、送信されてきた前記テキストデータを、前記利用者端末に送信する、ステップと、
を更に前記コンピュータに実行させる、付記２１に記載のプログラム。
【０１２８】
（付記２３）
（ｇ）前記（ｂ）のステップの実行後に、当該割当時間に続いて別の筆記者に割り当てられる次の割当時間の開始時間を、当該割当時間と前記次の割当時間とが設定された時間分重なるように設定する、ステップを、
更に前記コンピュータに実行させる、付記２１または２２に記載のプログラム。
【０１２９】
（付記２４）
（ｈ）当該割当時間が割り当てられている筆記者の筆記者端末に、前記（ｃ）のステップによる前記時間情報と前記音声データとの送信後に、当該割当時間の終了を通知し、当該割当時間の次の割当時間が割り当てられている別の筆記者の筆記者端末に、次の割当時間の開始を通知する、ステップを、
更に前記コンピュータに実行させる、付記２１〜２３のいずれかに記載のプログラム。
【０１３０】
（付記２５）
（ｉ）前記割当時間毎に、前記筆記者の筆記者端末から送信されてきたテキストデータを蓄積し、送信されてきた順に結合する、ステップを更に前記コンピュータに実行させる、
前記（ｄ）のステップにおいて、最新の割当時間において統合されたテキストデータの先頭側にある文字列と、前回の割当時間において統合されたテキストデートの末尾側にある文字列とを比較し、そして、両者が一致する場合に、最新の割当時間において統合されたテキストデータから、一致している先頭側の文字列を削除する、
付記２２に記載のプログラム。
【０１３１】
（付記２６）
前記（ａ）のステップにおいて、前記発話の音声から特定した無音区間のうち、長さが閾値以下の無音区間を更に特定し、
前記（ｂ）のステップにおいて、特定された長さが閾値以下の無音区間を用いて、判定を行う、付記２１〜２５のいずれかに記載のプログラム。
【産業上の利用可能性】
【０１３２】
以上のように本発明によれば、複数の筆記者が交代しながら要約筆記を行なう場合において、筆記者を支援してミスの発生を抑制することができる。本発明は、要約筆記が必要な分野であれば、学校等における授業に限られず、種々の講演等にも有用である。
【符号の説明】
【０１３３】
１  音声配信機能
２  重複削除機能
６  音声再生装置
７  入力装置
８  表示装置
１０  要約筆記支援装置
１１  音声解析部
１２  割当制御部
１３  音声配信部
２１  受信部
２２  入力制御部
２３  重複削除部
２４  文章リスト格納部
２５  送信部
３０  筆記者端末
３１  音声受信部
３２  テキスト送信部
３３  テキスト入力部
４０  利用者端末
４１  テキスト受信部
４２  表示部
５１  発話音声の音声データ
５２−１〜５２−３  音声区間
５３−１〜５３−４  無音区間
６１  割当時間
６１ａ  開始点
６１ｂ  終点
６２  割当時間（変更後）
６２ａ  開始点
６２ｂ  終点
６３  割当時間（次）
６３ａ  開始点
７１  前指定区間
７２  後指定区間
８１  重複区間
９１  発話音声の音声データ
１００  要約筆記支援システム
１１０  コンピュータ
１１１  ＣＰＵ
１１２  メインメモリ
１１３  記憶装置
１１４  入力インターフェイス
１１５  表示コントローラ
１１６  データリーダ／ライタ
１１７  通信インターフェイス
１１８  入力機器
１１９  ディスプレイ装置
１２０  記録媒体
１２１  バス
【図１】
2014178959.tif 000003
【図２】
2014178959.tif 000004
【図３】
2014178959.tif 000005
【図４】
2014178959.tif 000006
【図５】
2014178959.tif 000007
【図６】
2014178959.tif 000008
【図７】
2014178959.tif 000009
【図８】
2014178959.tif 000010
【図９】
2014178959.tif 000011